(57)【要約】【課題】デジタル機器に不慣れなユーザであっても操作が可能な記念日表示時計を提供する。【解決手段】設定日とこれらの関連情報とからなる用件の設定に使用可能な音声操作ガイドを出力し、この音声操作ガイドに従って用件の設定を可能する設定装置１と、設定装置１に設定された用件を表示可能な表示パネル２ａと、設定日が所定期間内に入ったときに点滅可能な発光素子３ａと、表示パネル２ａ及び発光素子３ａが配置される文字盤１０と設定装置１が着脱可能に装着される収容室３０が形成された振り子２０とを有し、装着された設定装置１と表示部２及び光源部３とをコネクタ３１を介して通信可能に接続する時計機能部４と、を備える構成を有している。【選択図】図１
2009210310.tif 000002
【特許請求の範囲】
【請求項１】
記念日及び開催日のうちのいずれか１つ以上とこれらの関連情報とからなる用件の設定を案内する操作ガイドを出力し、前記操作ガイドに従って前記要件の設定を可能する設定装置と、前記設定装置から記念日又は開催日毎に出力される用件を表示する表示部と、前記表示部が形成されると共に前記設定装置が着脱可能に装着され、時計としての機能を有し前記表示部と装着された前記設定装置とを通信可能に接続する時計機能部と、を備えることを特徴とする記念日表示時計。
【請求項２】
前記設定装置が、少なくとも前記操作ガイドと設定された前記用件とを不揮発に格納する記憶部と、前記操作ガイド中のメッセージを音声で出力可能な音声合成出力部と、音声を集音して音声認識し前記要件の設定内容を含む所定の情報を抽出可能な集音認識部と、前記音声合成出力部が音声合成する前記操作ガイド中のメッセージを選択すると共に前記集音認識部によって抽出された前記用件の設定内容を前記記憶部に格納させ、前記記念日又は開催日毎に表示する設定内容を前記表示部に出力する制御処理部と、を有することを特徴とする請求項１に記載の記念日表示時計。
【請求項３】
前記制御処理部が、記念日としての命日が設定されたとき、前記命日に関連する法事の開催日を算出する、ことを特徴とする請求項１又は請求項２に記載の記念日表示時計。
【請求項４】
前記時計機能部前面に点滅可能な発光素子を有する光源部を備え、前記制御処理部が、前記記念日又は開催日までの所定期間中に前記発光素子を所定の時間間隔で点滅するように前記光源部を制御する、ことを特徴とする請求項１乃至請求項３のいずれか一項に記載の記念日表示時計。
【請求項５】
前記制御処理部が、ユーザの操作に応じて前記光源部を制御して前記発光素子の点滅を停止可能であると共に、前記記念日又は開催日の経過後に前記発光素子の点滅を停止するように制御する、ことを特徴とする請求項１乃至請求項４のいずれか一項に記載の記念日表示時計。
【発明の詳細な説明】
【技術分野】
【０００１】
本発明は、柱時計、置き時計等として使用され記念日、開催日等の表示が可能な記念日表示時計に関する。
【背景技術】
【０００２】
近年、携帯電話機等の携帯通信端末の発達によって、記念日を表示して通知することが可能となってきている（例えば、特許文献１参照。）。記念日、開催日等の重要性は、多くの人々に益々認識されてきており、記念日を忘れることによって信頼を損なう場合すら生じている。法事等の近親者間での会合は、通常忘れることができないものである。また、社会的交際範囲の広い人にとっては、近親者のみならず知人についてまでも、記念日への対応が必要となる場合もある。
【０００３】
特許文献１記載の携帯型画像表示装置は、記念日であることをディスプレイの背景色及び文字色を変えて通知するように構成されている。この装置においては記念日、開催日等とそれ以外の通常の日との区別が上記のように表示色を介して明確化されているため、ユーザは、例えば通勤中に記念日であること又は記念日が近づいていることに気が付く。
【０００４】
ここで、携帯電話機は、操作、ネットワーク等に精通したユーザ等によって、より効果的に利用される傾向のものである。そのため、携帯電話機の操作は機種毎に異なるものであるが、操作マニュアルを細部まで読んで装置を使いこなす関心の強いユーザもいる。また、所定のコンピュータ技術、通信技術等に関する知識を有するユーザは、ネットワーク上の装置、情報等の資源を有効に利用し、利便性を享受する。
【特許文献１】特開２００１−２８２７５１号公報
【発明の開示】
【発明が解決しようとする課題】
【０００５】
しかしながら、従来の携帯型画像表示装置では、所謂デジタルデバイドと呼ばれるデジタル機器に不慣れな人達にとって、有効にその効果を奏し得ないという問題を有していた。具体的には、高齢者がデジタルデバイドである場合、付き合いが広く記憶すべき用件が多くても、装置の使用が難しく有効に利用しきれないという事態がしばしば生じている。高齢者は記憶力が減退しやすく、特にその影響は大きい。高齢者のみならず、法事に関しては、祖父母までも関連することがあり、配偶者側と合わせて８人までの法事の日を記憶しておくことは、困難なことである。
【０００６】
法事に関しては、所謂４９日、新盆等の命日から数えて周期的に到来しない日や、毎年行われるわけではない三回忌等も開催日とされる。そのため、従来の周期的に通知する技術では、これらの開催を適切に知らせることができない。
【０００７】
以上の現状に鑑み、本発明の目的は、デジタル機器に不慣れなユーザであっても操作が可能な記念日表示時計を提供する。
【課題を解決するための手段】
【０００８】
上記の課題を解決すべく、本発明は以下の構成を提供する。
請求項１に係る発明は、記念日及び開催日のうちのいずれか１つ以上とこれらの関連情報とからなる用件の設定を案内する操作ガイドを出力し、前記操作ガイドに従って前記要件の設定を可能する設定装置と、前記設定装置から記念日又は開催日毎に出力される用件を表示する表示部と、前記表示部が形成されると共に前記設定装置が着脱可能に装着され、時計としての機能を有し前記表示部と装着された前記設定装置とを通信可能に接続する時計機能部と、を備えることを特徴とする。
【０００９】
請求項２に係る発明は、請求項１に記載の記念日表示時計において、前記設定装置が、少なくとも前記操作ガイドと設定された前記用件とを不揮発に格納する記憶部と、前記操作ガイド中のメッセージを音声で出力可能な音声合成出力部と、音声を集音して音声認識し前記要件の設定内容を含む所定の情報を抽出可能な集音認識部と、前記音声合成出力部が音声合成する前記操作ガイド中のメッセージを選択すると共に前記集音認識部によって抽出された前記用件の設定内容を前記記憶部に格納させ、前記記念日又は開催日毎に表示する設定内容を前記表示部に出力する制御処理部と、を有することを特徴とする。
【００１０】
請求項３に係る発明は、請求項１又は請求項２に記載の記念日表示時計において、前記制御処理部が、記念日としての命日が設定されたとき、前記命日に関連する法事の開催日を算出する、ことを特徴とする。
【００１１】
請求項４に係る発明は、請求項１乃至請求項３のいずれか一項に記載の記念日表示時計において、前記時計機能部前面に点滅可能な発光素子を有する光源部を備え、前記制御処理部が、前記記念日又は開催日までの所定期間中に前記発光素子を所定の時間間隔で点滅するように前記光源部を制御することを特徴とする。
【００１２】
請求項５に係る発明は、請求項１乃至請求項４のいずれか一項に記載の記念日表示時計において、前記制御処理部が、ユーザの操作に応じて前記光源部を制御して前記発光素子の点滅を停止可能であると共に、前記記念日又は開催日の経過後に前記発光素子の点滅を停止するように制御することを特徴とする。
【発明の効果】
【００１３】
請求項１に係る発明によれば、記念日及び開催日のうちのいずれか１つ以上とこれらの関連情報とからなる用件の設定を案内する操作ガイドを出力し、操作ガイドに従って要件の設定を可能する設定装置と、設定装置から記念日又は開催日毎に出力される用件を表示する表示部と、表示部が形成されると共に設定装置が着脱可能に装着され、時計としての機能を有し表示部と装着された設定装置とを通信可能に接続する時計機能部と、を備えるため、デジタル機器に不慣れなユーザであっても操作が可能な記念日表示時計を実現することができる。
【００１４】
請求項２に係る発明によれば、上記請求項１の効果に加えて、設定装置が、少なくとも操作ガイドと設定された用件とを不揮発に格納する記憶部と、操作ガイド中のメッセージを音声で出力可能な音声合成出力部と、音声を集音して音声認識し要件の設定内容を含む所定の情報を抽出可能な集音認識部と、音声合成出力部が音声合成する操作ガイド中のメッセージを選択すると共に集音認識部によって抽出された用件の設定内容を記憶部に格納させ、記念日又は開催日毎に表示する設定内容を表示部に出力する制御処理部と、を有するため、更に操作を容易にすることができる。
【００１５】
請求項３に係る発明によれば、上記請求項１又は請求項２の効果に加えて、制御処理部が、記念日としての命日が設定されたとき、命日に関連する法事の開催日を算出するため、利便性を向上させることができる。
【００１６】
請求項４に係る発明によれば、上記請求項１乃至請求項３のいずれか一項の効果に加えて、時計機能部前面に点滅可能な発光素子を有する光源部を備え、制御処理部が、記念日又は開催日までの所定期間中に発光素子を所定の時間間隔で点滅するように光源部を制御するため、記念日又は開催日の到来をより効果的に通知することができる。
【００１７】
請求項５に係る発明によれば、上記請求項１乃至請求項４のいずれか一項の効果に加えて、制御処理部が、ユーザの操作に応じて光源部を制御して発光素子の点滅を停止可能であると共に、記念日又は開催日の経過後に発光素子の点滅を停止するように制御するため、点滅をユーザの希望に応じて停止し点滅の防止を回避することができる。
【発明を実施するための最良の形態】
【００１８】
以下、実施例を示した図面を参照しつつ本発明の実施の形態について説明する。
図１は、本発明による記念日表示時計の一実施例を模式図である。記念日表示時計１００は、図１に示すように、記念日、開催日等の設定対象の日（以下、設定日という。）とこれらに関連する情報（以下、関連情報という。）と（以下、設定日と関連情報とからなるものを用件という。）の設定に使用可能な音声操作ガイドを出力し、この音声操作ガイドに従って用件の設定を可能する設定装置１と、設定装置１に設定された用件を表示可能な表示部２と、設定日が所定期間内に入ったときに点滅可能な光源部３と、表示部２及び光源部３が配置されると共に設定装置１が着脱可能に装着され、装着された設定装置１と表示部２及び光源部３とを通信可能に接続する時計機能部４と、を備える。
【００１９】
図２は、設定装置の構成と、これと表示部及び光源部との接続の一実施例を模式的に示すブロック図である。設定装置１は、小規模なコンピュータとして構成され、所定の情報を表示可能な操作表示部１１と、用件、音声操作ガイド等を不揮発に格納可能な記憶部１２と、記憶部１２に格納された音声操作ガイド中のメッセージを音声合成する音声合成部１３と、音声を出力するスピーカ１４と、音声合成されたメッセージを再生するようにスピーカ１４を駆動させるスピーカ駆動部１５と、音声を集音するマイク１６と、マイク１６を介して集音された音声を音声認識する音声認識部１７と、音声合成するメッセージの抽出、音声認識された音声中からのユーザの応答の抽出等の所定の処理と制御を行う制御処理部１８と、時計機能部４に装着されたことを検出可能にする装着スイッチ１９と、を有する。
【００２０】
操作表示部１１は、例えば、電源ボタン、ディスプレイ及びポインタデバイスによって構成され、操作に応じてディスプレイ中に表示された項目の選択、入力等を可能とする。
【００２１】
記憶部１２は、通常のコンピュータ動作を可能にするＲＯＭ、ＲＡＭ等のメモリに加え、ＦｅＲＡＭ（Ferroelectric-RAM）等の不揮発メモリを有する。具体的には、操作中に入力、指定、選択等がなされた情報はＲＡＭに記憶され、登録される用件はＲＡＭからＦｅＲＡＭに移されて格納される。記憶部１２は、また、音声合成、音声認識等に利用可能な漢字辞典、人名事典、地名辞典等の辞典と設定装置１の処理上利用可能なその他のデータとこれらの処理を実現するアプリケーションプログラムとを格納するのでもよい。
【００２２】
音声合成部１３は、例えばＦｅＲＡＭに格納された音声合成アプリケーションプログラム、ＣＰＵ、ＲＡＭ等によって構成されるのでもよい。音声合成アプリケーションプログラムは、これには動作に使用される所定のデータが含まれるものとし、市販されているものを使用するのでもよい。音声合成部１３からの出力信号は、デジタル信号であってもよいが、以下ではアナログ信号とする。
【００２３】
スピーカ駆動部１５は、例えば、スピーカ１４とインピーダンス整合したアナログ増幅器によって構成される。音声合成部１３、スピーカ１４及びピーカ駆動部１５は、メッセージを音声合成して出力する音声合成出力部をなす。
【００２４】
マイク１６は、従来から使用されているＥＣＭ（Electric Condenser Microphone）でもよいが、シリコン基板を用いて形成された所謂Ｓｉマイクが小型軽量化の点で好ましい。
【００２５】
音声認識部１７は、例えばＦｅＲＡＭに格納された音声認識アプリケーションプログラム、ＣＰＵ、ＲＡＭ等によって構成されるのでもよい。音声認識アプリケーションプログラムは、これには動作に使用される辞典、その他の所定のデータが含まれるものとし、市販されているものを使用するのでもよい。音声認識部１７は、また、ユーザの発する声が予め、登録、学習等させられ、応答の高速化が図られているのでもよい。音声認識部１７は、さらに、一度音声認識した人名等を該当する事典の先頭側にリストするように構成されているのでもよい。このリストは、音声認識の頻度に応じて行われるのでもよい。音声認識部１７からは、認識された音声がデジタル信号で出力される。マイク１６及び音声認識部１７は、音声を集音して音声認識する集音認識部をなす。
【００２６】
制御処理部１８は、操作表示部１１からの操作に応じて処理を開始し、例えば、以下の処理を行う。具体的には、（１）音声合成する音声操作ガイド中のメッセージを記憶部１２から抽出して音声合成部に出力する処理、（２）音声認識部１７を制御して音声認識を行わせ、ユーザの応答、回答等を取得する処理、（３）これらの処理等を介して、以下に記載するように用件の登録、閲覧、訂正、削除等をユーザに可能とする処理、（４）必要に応じて上記のメッセージに格納前の用件の名称、関連情報等のデータを挿入する処理、（５）命日を用件とする場合の４９日、新盆、三回忌等の法事開催日の算出又は誕生日に対する各年の年齢の算出、（６）表示部２に用件の名称、関連情報等のデータを送信して表示させる処理、（７）光源部３を制御して設定日の接近に応じて発光素子を点滅させる処理、（８）設定装置１が所定時間操作されないときに動作電力を節電する節電モードにする処理、等々が上げられる。ここで、（６）の表示の処理は、表示期間中に複数の要件が重なったときにテロップのように表示内容が流れ、全ての用件が表示されるように行われるのでもよい。また、（７）の光源部３の点滅は、例えば、当日、３日前、１週間前、１０日前、２０日前、１ヶ月前等のものから選択できるのでもよい。
【００２７】
装着スイッチ１９は、例えば、リボン状に湾曲したリン青銅製の突出部と、突出部の一端に接続された第１の固定端子と、突出部の他端と対向する第２の固定端子とを有する。突出部は、設定装置１が時計機能部４に装着されたときに時計機能部４の収容室３０の側壁に押し付けられて導通状態（以下、閉状態といい、他の状態を開状態という。）となるように構成されている。制御処理部１８は、装着スイッチ１９と電気的に接続されて閉状態と開状態とを識別可能であり、これによって設定装置１が時計機能部４に装着されたことを検出可能になっている。
【００２８】
表示部２は、液晶ディスプレイ等からなる表示パネル２ａと、設定装置１と通信し設定装置１からの制御に応じて表示パネル２ａを駆動する図示しない表示駆動制御回路とを有する。表示部２は、また、制御処理部１８の制御に応じて、内容を静止表示する態様以外に、テロップのように表示内容が流れる態様でも表示可能となっている。
【００２９】
光源部３は、ＬＥＤ（Light Emitting Diode）等の発光素子３ａと、設定装置１と通信し設定装置１からの制御に応じて発光素子３ａを駆動する図示しない発光駆動制御回路とを有する。ここで、発光素子３ａは、表示内容への注意の喚起のために、明度の高い赤色系の色等で点滅するのでも、穏やかな緑色系の色で点滅するのでもよい。なお、光源部３は、付加的にチャイム等の所定の効果音を発する音声出力部を有するのでも、この音声出力部によって置き換えられるのでもよい。なお、表示パネル２ａは、情報が表示されていないときに図示しないシャッタで覆われ、他の文字盤部分と同化して見えるようになっているのでもよい。
【００３０】
時計機能部４は、図１に示す例では文字盤１０と振り子２０とを有する柱時計として機能し、時計機能等を実現するための電池を内蔵する。文字盤１０には、例えば時針、分針の軸の下方等の見えやすい所に表示パネル２ａ及び発光素子（上記の音声出力部を含む。以下同様とする。）３ａが配置される。上記の電池は、また、表示部２と光源部３に接続されてこれらの機能の実現のために使用されるのでもよい。
【００３１】
設定装置１を収容する収容室３０は、図１に示すように、例えば美観上障害とならない柱時計の下側奥等の所定の位置に形成される。収容室３０には、表示部２及び光源部３と接続されたコネクタ３１が一方の側面に設けられ、設定装置１が表示部２及び光源部３と通信可能になっている。このコネクタ３１との電気的な接続のために、設定装置１の対応する部分に図示しない複数の端子が設けられている。このコネクタ３１は、設定装置１の着脱時に端子等から受ける力によって設定装置１から離れる方向に一旦移動し、着脱後に元の位置に復帰するようになっている。
【００３２】
図３は、本発明による記念日表示時計の他の実施例を模式図である。図３において、記念日表示時計２００は置き時計として構成され、振り子がないことを除いて記念日表示時計１００と同様の機能を有する。ここで、発光素子３ｂは、文字盤４０中の記念日表示時計１００の場合と同様の位置に配置されている。これに対し、表示パネル２ｂは時計機能部５中の配置領域の確保が可能であってかつ見えやすい位置に配置され、設定装置１は時計機能部５中の操作性のよい部分に装着される。図３に示す例では、表示パネル２ｂは文字盤４０の下方に配置され、設定装置１は側壁に配置されている。本発明による記念日表示時計は、柱時計及び置時計以外の他のアナログ時計にも適用可能であり、さらにデジタル時計についても適用可能である。
【００３３】
図４は、本発明による記念日表示時計の操作に関連して行われる概略の処理について説明するフローチャートである。以下では、ユーザが記念日表示時計１００、２００に装着された設定装置１を取り外して、動作開始のための所定の操作を行ったことを前提として説明する。具体的には、取り外された状態では節電モードで動作している設定装置１の電源ボタンを、ユーザが１秒以下の時間に亘って押下する操作等の所定の操作を行ったものとする。
【００３４】
まず、制御処理部１８は、操作表示部１１の電源ボタンの上記の押下を検出し、設定装置１の操作を開始するための操作開始処理（Ｓ１１０）を行う。ここで、設定装置１の操作として、例えば用件の「登録」、「閲覧」、「削除」等がある。図５は、操作開始処理について説明するフローチャートである。操作開始処理では、まず、制御処理部１８が、操作の指定をユーザに依頼する操作指定依頼メッセージを記憶部１２から抽出して音声合成部１３に出力する（Ｓ１１１）。操作指定依頼メッセージとして、例えば、「電源が押されたのを検知しました。「登録」、「閲覧」、「削除」のうちの何れの操作をご希望でしょうか？」等が使用される。以下、上記の「登録」、「閲覧」、「削除」等の操作を特定する用語を操作メニュー用語という。操作メニュー用語及び同様に以下でメッセージ中に使用される用語は、予め記憶部１２に不揮発に格納されて登録されているものとする。
【００３５】
次に、音声合成部１３が制御処理部１８からの操作指定依頼メッセージをアナログの音声に変換し、スピーカ１４及びスピーカ駆動部１５を介して音声で出力する（Ｓ１１２）。
【００３６】
次に、音声認識部１７が制御処理部１８の制御の下にマイク１６を介して集音された音声を音声認識して認識結果を制御処理部１８に出力する（Ｓ１１３）。音声認識部１７は、何れかの操作メニュー用語と照合する音声があったときに、照合した操作メニュー用語を制御処理部１８に出力するようになっている。ただし、所定期間内に照合するものが抽出されない場合、音声認識部１７は、照合する操作メニュー用語が抽出されないことを示す操作抽出不能信号を制御処理部１８に出力する。
【００３７】
次に、制御処理部１８は、音声認識部１７からの操作抽出不能信号の出力の有無に応じて音声認識が適切に行われたか否かを判断し（Ｓ１１４）、適切に行われたと判断されたとき、操作開始処理が終了する。ステップＳ１１４で音声認識が適切に行われなかったと判断された場合、制御処理部１８は、音声認識の不能を示すと共に再度の操作の指定をユーザに依頼する操作認識不能再指定依頼メッセージを記憶部１２から抽出して音声合成部１３に出力して（Ｓ１１５）、処理はステップＳ１１２に戻る。操作認識不能再指定依頼メッセージとして、「操作が適切に認識されませんでした。再度ご指定下さい。」等が使用される。
【００３８】
操作開始処理Ｓ１１０が終了したとき、制御処理部１８が、照合した操作メニュー用語が「登録」であるか否かを判断し（Ｓ１２１）、「登録」でないと判断したとき、処理は該当する他の操作を可能とするステップに跳ぶ。
【００３９】
照合した操作メニュー用語が「登録」であるとステップＳ１２１で判断されたとき、制御処理部１８は、記念日、開催日等に行われる用件の名称（以下、単に用件名という。）の指定を依頼して取得する用件名取得処理を行う（Ｓ１３０）。
【００４０】
図６は、用件名取得処理について説明するフローチャートである。用件名取得処理では、まず、制御処理部１８が記憶部１２から上記の用件名の指定をユーザに依頼する用件名指定依頼メッセージを抽出して音声合成部１３に出力する（Ｓ１３１）。用件名指定依頼メッセージとして、「登録を開始致します。「誕生日」、「結婚記念日」、「命日」、「催し物の開催日」のうち設定するものを指定して下さい。」等が使用される。以下、上記の「誕生日」、「結婚記念日」、「命日」、「催し物の開催日」等の設定対象を特定する用語を用件名特定用語という。
【００４１】
次に、音声合成部１３が制御処理部１８からの用件名指定依頼メッセージをアナログの音声に変換し、スピーカ１４及びスピーカ駆動部１５を介して音声で出力する（Ｓ１３２）。
【００４２】
次に、音声認識部１７が制御処理部１８の制御の下にマイク１６を介して集音された音声を音声認識して認識結果を制御処理部１８に出力する（Ｓ１３３）。ここで、音声認識は、操作開始処理の場合と同様に、用件名特定用語のみを対象として行われる。音声認識部１７は、何れかの用件名特定用語と照合する音声があったときに、照合した用件名特定用語を制御処理部１８に出力するようになっている。ただし、所定期間内に照合するものが抽出されない場合、音声認識部１７は、照合する用件名特定用語が抽出されないことを示す要件抽出不能信号を制御処理部１８に出力する。
【００４３】
次に、制御処理部１８は、音声認識部１７からの要件抽出不能信号の出力の有無に応じて音声認識が適切に行われたか否かを判断する（Ｓ１３４）。ステップＳ１３４で音声認識が適切に行われなかったと判断された場合、制御処理部１８は、音声認識の不能を示すと共に再度の用件名の指定をユーザに依頼する用件名認識不能再指定依頼メッセージを記憶部１２から抽出して音声合成部１３に出力して（Ｓ１３５）、処理はステップＳ１３２に戻る。用件名認識不能再指定依頼メッセージとして、「用件の名称が適切に認識されませんでした。再度ご指定下さい。」等が使用される。
【００４４】
ステップＳ１３４で音声認識が適切に行われたと判断されたとき、制御処理部１８は照合した用件名特定用語を記憶部１２に記憶させ（Ｓ１３６）、用件名取得処理が終了する。ここでは、記憶部１２内に用件名毎に所定の記憶領域が確保され、関連する情報が以下に説明するように対応付けて格納される。
【００４５】
用件名取得処理Ｓ１３０に引き続き、用件名に関連する情報を取得する処理Ｓ１４０、Ｓ１５０が行われる。即ち、該当者、主催者、問合せ先氏名等（以下、単に氏名等という。）の指定を依頼して取得する氏名等取得処理Ｓ１４０と、記念日又は開催日の指定を依頼して取得する年月日取得処理Ｓ１５０とが行われる。図７は氏名等取得処理について説明するフローチャートであり、図８は年月日取得処理について説明するフローチャートである。
【００４６】
まず、氏名等取得処理では、まず、制御処理部１８が記憶部１２から上記の氏名等の指定をユーザに依頼する氏名等指定依頼メッセージを抽出して音声合成部１３に出力する（Ｓ１４１）。氏名等指定依頼メッセージとして、「指定された用件の該当者、主催者、問合せ先氏名等を指定して下さい。」等が使用される。ここで、記憶部１２には、例えば、ユーザの居住する国（以下、居住国という。）の人名辞典が予め格納されており、必要に応じて他国の人名辞典も格納可能であってもよい。氏名等の音声認識は、まず居住国の人名辞典を対象に行われるものとする。
【００４７】
次に、音声合成部１３が制御処理部１８からの氏名等指定依頼メッセージをアナログの音声に変換し、スピーカ１４及びスピーカ駆動部１５を介して音声で出力する（Ｓ１４２）。
【００４８】
次に、音声認識部１７が制御処理部１８の制御の下にマイク１６を介して集音された音声を音声認識して認識結果を制御処理部１８に出力する（Ｓ１４３）。音声認識部１７は、人名事典中の人名と照合する音声があったときに、照合した人名を制御処理部１８に出力するようになっている。ただし、所定期間内に照合するものが抽出されない場合、音声認識部１７は、照合する人名が抽出されないことを示す氏名等抽出不能信号を制御処理部１８に出力する。
【００４９】
次に、制御処理部１８は、音声認識部１７からの氏名等要件抽出不能信号の出力の有無に応じて音声認識が適切に行われたか否かを判断する（Ｓ１４４）。ステップＳ１４４で音声認識が適切に行われなかったと判断された場合、制御処理部１８は、音声認識の不能を示すと共に再度の氏名等の指定をユーザに依頼する氏名等認識不能再指定依頼メッセージを抽出して音声合成部１３に出力して（Ｓ１４５）、処理はステップＳ１４２に戻る。氏名等認識不能再指定依頼メッセージとして、「氏名が適切に認識されませんでした。再度ご指定下さい。」等が使用される。
【００５０】
ステップＳ１４４で音声認識が適切に行われたと判断されたとき、制御処理部１８は照合した人名を用件名に対応させて記憶部１２に記憶させ（Ｓ１４６）、用件名取得処理が終了する。
【００５１】
次に、年月日取得処理では、まず、制御処理部１８が記憶部１２から上記の年月日の指定をユーザに依頼する年月日指定依頼メッセージを抽出して音声合成部１３に出力する（Ｓ１５１）。年月日指定依頼メッセージとして、「指定された用件の該当日、開催日等を指定して下さい。」等が使用される。
【００５２】
次に、音声合成部１３が制御処理部１８からの年月日指定依頼メッセージをアナログの音声に変換し、スピーカ１４及びスピーカ駆動部１５を介して音声で出力する（Ｓ１５２）。
【００５３】
次に、音声認識部１７が制御処理部１８の制御の下にマイク１６を介して集音された音声を音声認識して認識結果を制御処理部１８に出力する（Ｓ１５３）。音声認識部１７は、年月日と照合する音声があったときに、照合した年月日を制御処理部１８に出力するようになっている。ただし、所定期間内に照合するものが抽出されない場合、音声認識部１７は、照合する年月日が抽出されないことを示す年月日抽出不能信号を制御処理部１８に出力する。
【００５４】
次に、制御処理部１８は、音声認識部１７からの年月日要件抽出不能信号の出力の有無に応じて音声認識が適切に行われたか否かを判断する（Ｓ１５４）。ステップＳ１５４で音声認識が適切に行われなかったと判断された場合、制御処理部１８は、音声認識の不能を示すと共に再度の年月日の指定をユーザに依頼する年月日認識不能再指定依頼メッセージを抽出して音声合成部１３に出力して（Ｓ１５５）、処理はステップＳ１５２に戻る。年月日認識不能再指定依頼メッセージとして、「年月日が適切に認識されませんでした。再度ご指定下さい。」等が使用される。
【００５５】
ステップＳ１５４で音声認識が適切に行われたと判断されたとき、制御処理部１８は照合した年月日を用件名に対応させて記憶部１２に記憶させ（Ｓ１５６）、年月日取得処理が終了する。これによって、登録対象の用件に関する情報の取得が完了する。
【００５６】
登録対象の用件に関する情報の取得が完了したとき、制御処理部１８は、記憶部１２に当該用件に関連して記憶され設定された情報（以下、設定内容という。）の確認をユーザに依頼して取得する設定内容確認処理を行う（Ｓ１６０）。
【００５７】
図９は、設定内容確認処理について説明するフローチャートである。設定内容確認処理では、まず、制御処理部１８が記憶部１２から上記の設定内容の確認をユーザに依頼する設定内容確認依頼メッセージを抽出して音声合成部１３に出力する（Ｓ１６１）。設定内容確認依頼メッセージとして、「登録に先立って、指定した内容を確認してください。確認結果を「はい」又は「いいえ」でお答え下さい。」等が使用される。以下、「はい」と「いいえ」からなる用語を回答用語という。
【００５８】
次に、制御処理部１８が、記憶部１２に記憶された当該用件の設定内容を読出して設定内容確認依頼メッセージ内の該当箇所に挿入して合成メッセージを作成する（Ｓ１６２）。具体的には、「命日、＊＊様、ＹＹ年ＭＭ月ＤＤ日」を挿入して、「登録に先立って、指定した内容、「命日、＊＊様、ＹＹ年ＭＭ月ＤＤ日」を確認して下さい。確認結果を「はい」又は「いいえ」でお答え下さい。」等の合成メッセージが作成される。
【００５９】
次に、音声合成部１３がステップＳ１６２で合成された合成メッセージをアナログの音声に変換し、スピーカ１４及びスピーカ駆動部１５を介して音声で出力すると共に設定内容を表示する（Ｓ１６３）。
【００６０】
次に、音声認識部１７が制御処理部１８の制御の下にマイク１６を介して集音された音声を音声認識して認識結果を制御処理部１８に出力する（Ｓ１６４）。ここで、音声認識は、回答用語のみを対象として行われる。音声認識部１７は、何れかの回答用語と照合する音声があったときに、照合した回答用語を制御処理部１８に出力するようになっている。ただし、所定期間内に照合するものが抽出されない場合、音声認識部１７は、照合する回答用語が抽出されないことを示す回答抽出不能信号を制御処理部１８に出力する。
【００６１】
次に、制御処理部１８は、音声認識部１７からの回答抽出不能信号の出力の有無に応じて音声認識が適切に行われたか否かを判断する（Ｓ１６５）。ステップＳ１６５で音声認識が適切に行われなかったと判断された場合、制御処理部１８は、音声認識の不能を示すと共に再度の確認をユーザに依頼する回答認識不能再確認依頼メッセージを抽出して音声合成部１３に出力して（Ｓ１６６）、処理はステップＳ１６２に戻る。回答認識不能再指定依頼メッセージとして、「確認の有無が適切に認識されませんでした。再度ご回答下さい。」等が使用される。
【００６２】
ステップＳ１６５で音声認識が適切に行われたと判断されたとき、制御処理部１８は照合した回答用語に基づいて確認されたか否かを判断する（Ｓ１６７）。ステップＳ１６７で確認されたと判断されたとき、制御処理部１８は設定内容を記憶部１２に不揮発に格納させ（Ｓ１６８）、設定内容確認処理が終了する。ステップＳ１６７で確認されないと判断されたとき、制御処理部１８は設定内容の訂正を可能にする内容訂正処理を行う（Ｓ２００）。
【００６３】
図１０は、内容訂正処理について説明するフローチャートである。内容訂正処理では、まず、制御処理部１８が記憶部１２から訂正対象の指定をユーザに依頼する訂正対象指定依頼メッセージを抽出して音声合成部１３に出力する（Ｓ２０１）。訂正対象指定依頼メッセージとして、「「用件名」、「年月日」、「氏名又は問合せ先」のうちの何れを訂正しますか。」等が使用される。以下、上記の「用件名」、「年月日」、「氏名又は問合せ先」等の訂正対象を特定する用語を訂正特定用語という。
【００６４】
次に、音声合成部１３が制御処理部１８からの訂正対象指定依頼メッセージをアナログの音声に変換し、スピーカ１４及びスピーカ駆動部１５を介して音声で出力する（Ｓ２０２）。
【００６５】
次に、音声認識部１７が制御処理部１８の制御の下にマイク１６を介して集音された音声を音声認識して認識結果を制御処理部１８に出力する（Ｓ２０３）。ここで、音声認識は、上記の訂正特定用語と回答用語を対象として行われる。音声認識部１７は、何れかの訂正特定用語又は回答用語と照合する音声があったときに、照合した訂正特定用語又は回答用語を制御処理部１８に出力するようになっている。ただし、所定期間内に照合するものが抽出されない場合、音声認識部１７は、照合する訂正特定用語又は回答用語が抽出されないことを示す特定用語等抽出不能信号を制御処理部１８に出力する。
【００６６】
次に、制御処理部１８は、音声認識部１７からの特定用語等抽出不能信号の出力の有無に応じて音声認識が適切に行われたか否かを判断する（Ｓ２０４）。ステップＳ２０４で音声認識が適切に行われなかったと判断された場合、制御処理部１８は、音声認識の不能を示すと共に再度の確認をユーザに依頼する特定用語等認識不能再確認依頼メッセージを抽出して音声合成部１３に出力して（Ｓ２０５）、処理はステップＳ２０２に戻る。特定用語等認識不能再確認依頼メッセージとして、「訂正対象の「用件名」、「年月日」、「氏名又は問合せ先」又は訂正継続意志の何れかが適切に認識されませんでした。再度ご指定下さい。」等が使用される。
【００６７】
ステップＳ２０４で音声認識が適切に行われたと判断された場合、制御処理部１８は、照合した用語が訂正特定用語であるか否かを判断する（Ｓ２０６）。ステップＳ２０６で訂正特定用語が照合したと判断したとき、制御処理部１８は、以下に説明する対象別訂正処理を行う（Ｓ２１０）。対象別訂正処理では、例えば設定内容と訂正についてのガイドとが音声で出力されると共に、操作表示部１１のディスプレイに訂正対象が点滅表示される。これによって、ユーザは訂正対象を容易に識別できると共に訂正が可能となる。
【００６８】
以下、対象別訂正処理について氏名等を例にとり説明する。まず、ディスプレイには、設定内容としてひらがな又はカタカナで氏名等が表示され、これに応じた漢字、ローマ字等の候補も表示がなされ又は表示可能となっているものとする。ここで、読みが誤っている場合、設定装置１はユーザに上記のように音声を介して読みの訂正入力を可能とする。また、漢字に変更する訂正の場合は、設定装置１は、音声操作ガイドでユーザをガイドし、表示された候補をポインタデバイスで特定することを可能とする。ひらがなとカタカナ相互間、ローマ字等への変更についても、同様である。また、用件名についても同様である。
【００６９】
設定内容が僅か３つ程度のデータからなるため、通常１度で訂正は完了するが、更なる訂正を可能にするために以降の処理が行われる。まず、制御処理部１８が記憶部１２から訂正継続意思の表示をユーザに依頼する訂正継続意思表示依頼メッセージを抽出して音声合成部１３に出力し（Ｓ２２１）、処理はステップＳ２０２に戻る。訂正継続意思表示依頼メッセージとして、「訂正を継続しますか。「はい」又は「いいえ」でお答え下さい。」等が使用される。
【００７０】
ステップＳ２２１での処理後、ステップＳ２０２で音声合成部１３が訂正継続意思表示依頼メッセージをアナログの音声に変換して、スピーカ１４及びスピーカ駆動部１５を介して音声で出力し、ステップＳ２０３で音声認識部１７がマイク１６を介して集音された音声を音声認識して認識結果を制御処理部１８に出力し、ステップＳ２０４で制御処理部１８が、音声認識が適切に行われたか否かを判断する。ステップＳ２０４で音声認識が適切に行われたと判断された場合、ステップＳ２０６で制御処理部１８が、照合した用語が回答用語であると判断する。
【００７１】
次に、制御処理部１８が、照合した回答用語に基づいて訂正継続意思の有無を判断し（Ｓ２３１）、訂正の意思があると判断されたとき、ステップＳ２０１に戻って上記の処理を繰り返す。ステップＳ２３１で訂正の意思がないと判断されたとき、制御処理部１８は、修正された設定内容の確認を依頼する修正内容確認依頼メッセージを記憶部１２から抽出して音声合成部１４に出力し（Ｓ２３２）、対象別訂正処理は終了する。修正内容確認依頼メッセージとして、「登録に先立って、修正した内容を確認して下さい。」等が使用される。
【００７２】
図１１は、登録継続確認処理について説明するフローチャートである。登録継続確認処理では、まず、制御処理部１８が記憶部１２から登録継続意思の表示をユーザに依頼する登録継続意思表示依頼メッセージを抽出して音声合成部１３に出力する（Ｓ１７１）。登録継続意思表示依頼メッセージとして、「登録を継続しますか。「はい」又は「いいえ」でお答え下さい。」等が使用される。
【００７３】
次に、音声合成部１３が制御処理部１８からの登録継続意思表示依頼メッセージをアナログの音声に変換し、スピーカ１４及びスピーカ駆動部１５を介して音声で出力する（Ｓ１７２）。
【００７４】
次に、音声認識部１７が制御処理部１８の制御の下にマイク１６を介して集音された音声を音声認識して認識結果を制御処理部１８に出力する（Ｓ１７３）。ここで、音声認識は回答用語を対象として行われる。音声認識部１７は、何れかの回答用語と照合する音声があったときに、照合した回答用語を制御処理部１８に出力するようになっている。ただし、所定期間内に照合するものが抽出されない場合、音声認識部１７は、照合する回答用語が抽出されないことを示す継続意思抽出不能信号を制御処理部１８に出力する。
【００７５】
次に、制御処理部１８は、音声認識部１７からの継続意思抽出不能信号の出力の有無に応じて音声認識が適切に行われたか否かを判断し（Ｓ１７４）、登録継続確認処理は終了する。ステップＳ１７４で音声認識が適切に行われなかったと判断された場合、制御処理部１８は、音声認識の不能を示すと共に再度の登録継続意思の表示をユーザに依頼する継続意思認識不能再表示依頼メッセージを抽出して音声合成部１３に出力して（Ｓ１７５）、処理はステップＳ１７２に戻る。継続意思認識不能再表示依頼メッセージとして、「登録を継続なさるか否かが適切に認識されませんでした。再度意思表示して下さい。」等が使用される。
【００７６】
登録継続確認処理において回答用語が音声認識されたと判断されたとき、制御処理部１８が音声認識された回答用語に基づいて登録を継続するか否かを判断する（Ｓ１８１）。ステップＳ１８１で登録を継続すると判断したとき、制御処理部１８は、ステップＳ１１０に戻って以降の各ステップでの処理を繰り返す。ステップＳ１８１で登録を継続しないと判断したとき、用件の登録処理は、全て完了する。
【００７７】
図１２は、設定装置が時計機能部の収容室に装着されたときに行われる接続状態確認処理について説明するフローチャートである。接続状態確認処理では、まず、制御処理部１８が、装着スイッチ１９の導通状態を検査して（Ｓ１９１）上記の閉状態であるか否かを判断し（Ｓ１９２）、閉状態になるまでこれらのステップでの処理を繰り返す。
【００７８】
ステップＳ１９２で閉状態が検出されたとき、制御処理部１８が、通信可否検査処理として、予め設定された時間範囲内で例えば表示部２との通信が可能となったか否かを検査する（Ｓ１９３）。通信可否検査処理は、この時間範囲内であっても、通信が可能となった時点で終了する。
【００７９】
次に、制御処理部１８が、通信が可能となったか否かを判断し（Ｓ１９４）、通信が不能であると判断したとき、設定装置１とコネクタ３１との接触不良を示す接触不良通知メッセージを記憶部２から抽出して音声合成部１３に出力する（Ｓ１９５）。接触不良通知メッセージとして、「設定装置１が時計機能部４に適切に装着されているか、確認して下さい。」等が使用できる。
【００８０】
次に、音声合成部１３がステップＳ１９５で抽出された接触不良通知メッセージをアナログの音声に変換し、スピーカ１４及びスピーカ駆動部１５を介して音声で出力する（Ｓ１９６）。これによって、ユーザは、設定装置１と時計機能部４の収容部３０内に設けられたコネクタ３１との接触不良を知ることが可能となる。
【００８１】
ステップＳ１９４で通信が可能であると判断したとき、設定装置１がコネクタ３１と適切に接触して取り付けられていることを示す取付け完了通知メッセージを記憶部２から抽出して音声合成部１３に出力する（Ｓ１９７）。取付け完了通知メッセージとして、「設定装置１が時計機能部４に適切に装着されました。」等が使用される。
【００８２】
次に、音声合成部１３が制御処理部１８からの取付け完了通知メッセージをアナログの音声に変換し、スピーカ１４及びスピーカ駆動部１５を介して音声で出力する（Ｓ１９８）。ここで、例えば命日に関しては、予め決めされた期間を加算して所謂４９日、新盆、三回忌等が制御処理部１８によって算出される。同様に、誕生日に関しては、所定期間に亘って経過年が加算されて年齢が制御処理部１８によって算出される。これらの算出されたデータも、記憶部１２に関連するデータと対応付けられて不揮発に格納される。設定装置１の装着完了後、設定装置１は、節電モードで動作し、設定された用件を近づいているものから順に表示部２に送信して表示させ、必要に応じて光源部３を制御して発光素子３ａ、３ｂを点滅させる。
【００８３】
図１３は、ステップＳ１２１で抽出された操作メニュー用語が「登録」ででないと判断されたときに行われる処理について説明するフローチャートである。以下、「登録」、「照会」、「削除」等のユーザに操作を可能とする処理を操作応答処理という。図１３においては、操作応答処理のうち照会処理について詳細に説明されているが、削除処理等の他の操作応答処理についても、分岐（Ｓ３０１）を介して接続することによって実現可能となっている。
【００８４】
まず、ステップＳ１２１で照合した操作メニュー用語が「登録」ででないと判断されたとき、制御処理部１８がステップＳ１２１で照合した操作メニュー用語が「照会」であるか否かを判断する（Ｓ３０１）。
【００８５】
ステップＳ３０１で照合した操作メニュー用語が「照会」であると判断されたとき、制御処理部１８が登録された用件のうちの最も近づいているものに関する情報（以下、最接登録用件内容という。）を記憶部１２から抽出する（Ｓ３０２）。
【００８６】
次に、制御処理部１８が、照会内容を音声で案内する照会内容案内メッセージを記憶部１２から抽出して（Ｓ３０３）最接登録用件内容を照会内容案内メッセージに挿入し、得られた合成メッセージを音声合成部１３に出力する（Ｓ３０４）。
【００８７】
次に、制御処理部１８が、ステップＳ３０４で得られた合成メッセージをアナログの音声に変換し、スピーカ１４及びスピーカ駆動部１５を介して音声で出力する（Ｓ３０５）。
【００８８】
次に、制御処理部１８が、他の用件を含むより詳細な情報の閲覧等を可能にする詳細処理閲覧処理を行う（Ｓ３１０）。詳細処理閲覧処理では、例えば、より詳細な情報の必要性を音声で問いかけ、必要とされた場合に、音声操作ガイドと共に表示パネルに所定の用件をスクロール可能に表示するのでもよい。ここで、表示パネルの広さ、文字の大きさ等によって異なるが、複数の用件が最も近づいている順に最初に表示されるのでもよい。
【００８９】
ステップＳ３０１で照合した操作メニュー用語が「照会」でないと判断されたとき、「削除」等の他の操作応答処理を特定する用語か否かの判断が行われ、対応する操作応答処理が行われる（Ｓ３２０）。ここで、削除処理は、設定装置１が、例えば、上記の用件名取得処理で削除対象の用件を取得し、削除対象の用件をユーザに音声を介して確認してからこの用件を削除すること、等によって実現可能である。
【産業上の利用可能性】
【００９０】
本発明による記念日表示時計は、柱時計、置時計等として使用され、これらの時計を製造する時計製造産業、デジタル機器を製造する産業、電子部品産業等において利用可能であり、このような製品の有用性を増進する。
【図面の簡単な説明】
【００９１】
【図１】本発明による記念日表示時計の一実施例を模式図である。
【図２】設定装置の構成と、これと表示部及び光源部との接続の一実施例を模式的に示すブロック図である。
【図３】本発明による記念日表示時計の他の実施例を模式図である。
【図４】本発明による記念日表示時計の操作に関連して行われる概略の処理について説明するフローチャートである。
【図５】操作開始処理について説明するフローチャートである。
【図６】用件名取得処理について説明するフローチャートである。
【図７】氏名等取得処理について説明するフローチャートである。
【図８】年月日取得処理について説明するフローチャートである。
【図９】設定内容確認処理について説明するフローチャートである。
【図１０】内容訂正処理について説明するフローチャートである。
【図１１】登録継続確認処理について説明するフローチャートである。
【図１２】設定装置が時計機能部の収容室に装着されたときに行われる接続状態確認処理について説明するフローチャートである。
【図１３】ステップＳ１２１で抽出された操作メニュー用語が「登録」ででないと判断されたときに行われる処理について説明するフローチャートである。
【符号の説明】
【００９２】
１  設定装置
２  表示部
３  光源部
２ａ、２ｂ  表示パネル
３ａ、３ｂ  発光素子
４、５  時計機能部
１０、４０  文字盤
１１  操作表示部
１２  記憶部
１３  音声合成部
１４  スピーカ
１５  スピーカ駆動部
１６  マイク
１７  音声認識部
１８  制御処理部
１９  装着スイッチ
２０  振り子
３０  収容室
３１  コネクタ
１００、２００  記念日表示時計
【図１】
2009210310.tif 000003
【図２】
2009210310.tif 000004
【図３】
2009210310.tif 000005
【図４】
2009210310.tif 000006
【図５】
2009210310.tif 000007
【図６】
2009210310.tif 000008
【図７】
2009210310.tif 000009
【図８】
2009210310.tif 000010
【図９】
2009210310.tif 000011
【図１０】
2009210310.tif 000012
【図１１】
2009210310.tif 000013
【図１２】
2009210310.tif 000014
【図１３】
2009210310.tif 000015